(57)【要約】【課題】内容物の詰め替えおよび運搬、陳列が容易で見映が良い容器を提供する。【解決手段】容器本体１と、この容器本体１に設けられてこの容器本体１の内部と外部を連通する通孔６ｃと、伸縮性及び可撓性に富み容器本体１の内部に収容された内容物を流過させる蛇腹７と、この蛇腹の先端開口７ｃを閉塞する閉塞部材を具えていて、蛇腹７はその基端が通孔６ｃの基端に封密的に固定されて短縮された状態で通孔６ｃの内部に格納されている。【選択図】図１
2004123151.tif 000002
【特許請求の範囲】
【請求項１】
容器本体と、この容器本体に設けられてこの容器本体の内部と外部を連通する通孔と、伸縮性及び可撓性に富み上記容器本体の内部に収容された内容物を流過させる蛇腹と、この蛇腹の先端開口を閉塞する閉塞部材とを具え、上記蛇腹はその基端が上記通孔の基端に封密的に固定されて短縮された状態で上記通孔の内部に格納されることを特徴とする容器。
【請求項２】
上記蛇腹の先端には摘み部が設けられ、この摘み部は上記蛇腹が短縮された状態で上記通孔の内部に格納されたとき上記通孔の外部に露出することを特徴とする請求項１記載の容器。
【請求項３】
上記容器本体は薄肉のプラスチックフィルムからなる互いに対向する一対の側壁を具えていることを特徴とする請求項１記載の容器。
【請求項４】
断面菱形の基部とその上面中央から上方に伸びる円筒部とを貫通する通孔を具えた硬質プラスチック製の成形部材の上記基部を互いに対向する一対の側壁の間に位置させてこれらに溶着したことを特徴とする請求項３記載の容器。
【請求項５】
上記蛇腹は薄肉のプラスチックフィルムによって構成されて円筒状をなしていることを特徴とする請求項１記載の容器。
【請求項６】
上記閉塞部材を上記円筒部に螺合するキャップによって構成したことを特徴とする請求項４記載の容器。
【請求項７】
上記通孔の基端開口に向かって傾斜する傾斜面を上記容器本体に形成したことを特徴とする請求項１記載の容器。
【請求項８】
硬質プラスチックからなる管状部材にこれを貫通する通孔を形成し、この管状部材を互いに対向する一対の側壁の間に位置させてこれらに溶着したことを特徴とする請求項３記載の容器。
【請求項９】
上記閉塞部材を上記摘み部に螺合するキャップによって構成したことを特徴とする請求項２及び８記載の容器。
【請求項１０】
上記閉塞部材を上記蛇腹又は摘み部の先端に貼り付けられたシールプレートによって構成したことを特徴とする請求項１又は２記載の容器。
【請求項１１】
上記摘み部を薄肉のプラスチックフィルムによって被覆したことを特徴とする請求項２記載の容器。
【請求項１２】
互いに対向する一対の側壁にそれぞれ窪みを形成し、これら窪みが整合するように上記一対の側壁を互いに溶着することによって通孔を形成したことを特徴とする請求項３記載の容器。
【請求項１３】
上記摘み部を互いに対向する一対の側壁を互いに溶着することによって形成された腔所内に位置せしめたことを特徴とする請求項２及び３記載の容器。
【請求項１４】
上記腔所を囲む側壁の溶着部に切り込みを形成したことを特徴とする請求項１３記載の容器。
【請求項１５】
上記切り込みに連通するミシン目を上記側壁に刻設したことを特徴とする請求項１４記載の容器。
【発明の詳細な説明】
【０００１】
【発明が属する技術分野】
本発明は調味料、化粧品、洗剤等の液体や粉粒剤を収容するのに好適な容器に関する。
【０００２】
【従来の技術】
従来のこの種容器の１例が図９に示されている。
容器０１は薄肉のプラスチックフィルムからなる２つの側壁０２、０３と１つの底壁０４の端縁を互いに溶着０５してなり、この容器０１の角隅を切断線０６に沿って切断することによって側壁０２と０３との間に形成された通路０７を開口させて容器０１の内部に収容された内容物を排出していた。
【０００３】
【発明が解決しようとする課題】
上記従来の容器０１においては、容器０１の内部に収容された内容物を図示しない詰替容器に詰め替える場合、容器０１を持って通路０７の先端開口を詰替容器の入口に臨ませた状態で容器０１の傾斜を徐々に大きくする必要があるが、通路０７の先端開口を詰替容器の入口に臨ませた状態を維持することが難しいため、内容物が詰替容器に入らずにその周辺に散乱するおそれがあった。
【０００４】
また、通路０７又はその上流側が潰れることによって内容物を円滑に排出することが難しく、また、これに対処するため容器０１を圧縮すると、内容物が通路０７の先端開口から噴出することにより詰替容器に入らずにその周辺に散乱するおそれがあった。
【０００５】
【課題を解決するための手段】
本発明は上記課題を解決するために発明されたものであって、その要旨とするところは、容器本体と、この容器本体に設けられてこの容器本体の内部と外部を連通する通孔と、伸縮性及び可撓性に富み上記容器本体の内部に収容された内容物を流過させる蛇腹と、この蛇腹の先端開口を閉塞する閉塞部材とを具え、上記蛇腹はその基端が上記通孔の基端に封密的に固定されて短縮された状態で上記通孔の内部に格納されることを特徴とする容器にある。
【０００６】
他の特徴とするところは、上記蛇腹の先端には摘み部が設けられ、この摘み部は上記蛇腹が短縮された状態で上記通孔の内部に格納されたとき上記通孔の外部に露出することにある。
【０００７】
他の特徴とするところは、上記容器本体は薄肉のプラスチックフィルムからなる互いに対向する一対の側壁を具えていることにある。
【０００８】
他の特徴とするところは、断面菱形の基部とその上面中央から上方に伸びる円筒部とを貫通する通孔を具えた硬質プラスチック製の成形部材の上記基部を互いに対向する一対の側壁の間に位置させてこれらに溶着したことにある。
【０００９】
他の特徴とするところは、上記蛇腹は薄肉のプラスチックフィルムによって構成されて円筒状をなしていることにある。
【００１０】
他の特徴とするところは、上記閉塞部材を上記円筒部に螺合するキャップによって構成したことにある。
【００１１】
他の特徴とするところは、上記通孔の基端開口に向かって傾斜する傾斜面を上記容器本体に形成したことにある。
【００１２】
他の特徴とするところは、硬質プラスチックからなる管状部材にこれを貫通する通孔を形成し、この管状部材を互いに対向する一対の側壁の間に位置させてこれらに溶着したことにある。
【００１３】
他の特徴とするところは、上記閉塞部材を上記摘み部に螺合するキャップによって構成したことにある。
【００１４】
他の特徴とするところは、上記閉塞部材を上記蛇腹又は摘み部の先端に貼り付けられたシールプレートによって構成したことにある。
【００１５】
他の特徴とするところは、上記摘み部を薄肉のプラスチックフィルムによって被覆したことにある。
【００１６】
他の特徴とするところは、互いに対向する一対の側壁にそれぞれ窪みを形成し、これら窪みが整合するように上記一対の側壁を互いに溶着することによって通孔を形成したことにある。
【００１７】
他の特徴とするところは、上記摘み部を互いに対向する一対の側壁を互いに溶着することによって形成された腔所内に位置せしめたことにある。
【００１８】
他の特徴とするところは、上記腔所を囲む側壁の溶着部に切り込みを形成したことにある。
【００１９】
他の特徴とするところは、上記切り込みに連通するミシン目を上記側壁に刻設したことにある。
【００２０】
【発明の実施の形態】
本発明の第１の実施形態が図１ないし図３に示されている。
図１は要部縦断面図、図２は図１のＡ−Ａ線に沿う横断面図、図３は内容物の排出状況を示す斜視図である。
【００２１】
容器本体１は、図３に示すように、薄肉の熱可塑性プラスチックフィルムからなる２つの側壁２、３と１つの底壁４をその端縁において互いに熱溶着５することによって構成されている。
この容器本体１の上部右側の角隅には硬質プラスチッチ製の成形部材６が配置されている。
【００２２】
成形部材６は、図１及び図２に示すように、断面菱形の基部６ａと、その上面中央から上方に伸びる円筒部６ｂと、これら基部６ａ及び円筒部６ｂを貫通する通孔６ｃとを具えている。
基部６ａを側壁２と３の間に位置させてこれらに溶着することによって成形部材６は容器本体１に固定され、この状態で通孔６ｃは容器本体１の内部と外部とを連通する。
【００２３】
この通孔６ｃ内には薄肉のプラスチックフィルムからなる伸縮性及び可撓性に富み、容器本体１の内部に収容された内容物を流過させる円筒状の蛇腹７が短縮された状態で格納されている。
この蛇腹７の基端７ａは通孔６ｃの下端に封密的に固着され、その先端７ｂは通孔６ｃの上端開口を越えて上方に突出し、この突出端７ｂには円環状の摘み８が封密的に固着されている。
【００２４】
円筒部６ｂの外周には雄螺糸６ｄが刻設され、この雄螺糸６ｄに閉塞部材、即ち、キャップ９の円筒部９ａの内周面下部に刻設された雌螺糸９ｂを螺入することによって蛇腹７の先端開口７ｃはキャップ９により閉塞されている。
【００２５】
しかして、容器本体１の内部に収容された内容物を排出するには、キャップ９を螺戻して円筒部６ｂから取り外すと、蛇腹７はその弾発力により伸長して摘み８が上方に移動する。なお、蛇腹７の先端に摘み８が固着されていて、この摘み８は蛇腹７がその弾発力により伸長したとき上方に移動するので容易に指で摘むことができる。
そこで、摘み８を持って上方に引き上げると、蛇腹７が伸長してその先端部が円筒部６ｂの上端開口から進出する。
【００２６】
そこで、図３に示すように、蛇腹７の進出部分を撓ませた後、容器本体１を持ち上げて蛇腹７の先端開口７ｃを詰替容器Ａの入口に挿入して容器本体１を徐々に傾斜させると、容器本体１内の内容物は蛇腹７内にその基端７ａから流入してその内部を通ってその先端開口７ｃから詰替容器Ａ内に流出する。
【００２７】
なお、図１に示すように、基部６ａの下面に通孔６ｃの基端開口に向かって傾斜する傾斜面６ｅを形成して置けば、容器本体１内の内容物を残すことなく容易に排出することができる。
【００２８】
そして、蛇腹７が伸長してその先端部が円筒部６ｂから進出し、かつ、その進出部分が容易に撓むので、蛇腹７の先端開口７ｃを詰替容器Ａの入口に容易に挿入することができる。
また、持ち上げられた容器本体１が動揺しても蛇腹７の進出部分が容易に撓むので、蛇腹７の先端開口７ｃが詰替容器Ａの入口から抜け出るのを容易に防止することができ、従って、容器本体１内の内容物を詰替容器Ａの周辺に散乱させることなく詰替容器Ａ内に注入することができる。
【００２９】
そして、蛇腹７の基端が通孔６ｃの基端に封密的に固定されているので、内容物の排出時、内容物が蛇腹７と通孔６ｃとの間隙を通り蛇腹７の外周面を伝って滴下することはない。
更に、内容物の排出の過程で容器本体１内の内容物の多少に抱らず蛇腹７は終始潰れることがないので、内容物を円滑に排出できる。
【００３０】
詰替容器Ａへの注入が終了したとき、容器本体１内に内容物が残っている場合には、蛇腹７の先端を詰替容器Ａの入口から抜き出した後、蛇腹７を短縮して通孔６ｃ内に格納する。
次いで、キャップ９を円筒部６ｂに螺合することにより蛇腹７の先端開口７ｃを閉塞すれば、蛇腹７の基端が通孔６ｃの基端に封密的に固定されているので、容器本体１内の内容物が外部に漏れ出ることはない。
【００３１】
そして、蛇腹７は短縮するので、通孔６ｃ内に容易に格納することができ、従って、蛇腹７が容器の外部に露出して汚損することはない。
また、蛇腹７の基端が通孔６ｃの基端に固着されているので、通孔６ｃの全長を蛇腹７の格納に利用することができ、通孔６ｃも短くて足りる。
この結果、蛇腹７が容器本体１の外部に露出せず、しかも、容器がコンパクトとなるので、その運搬、陳列が容易となるとともにその見映えが向上する。
【００３２】
本発明の第２の実施形態が図４に示されている。
この第２の実施形態においては、硬質プラスチックからなる管状部材１０が側壁２と３との間に位置せしめられてこれらに溶着され、この状態で管状部材１０の外周面から突出するフランジ１０ａが側壁２及び３の端縁に当接している。
【００３３】
この管状部材１０にはこれを貫通する通孔１０ｂが形成され、この通孔１０ｂの内部には蛇腹７が短縮された状態で格納されている。
蛇腹７の突出端７ｂに封密的に固着された摘み８の外周面に雄螺糸８ｂが刻設され、この雄螺糸８ｂにキャップ９の雌螺糸９ｂを螺入することによって蛇腹７の先端開口７ｃが閉塞され、かつ、キャップ９の下部が管状部材１０の外周面から突出するフランジ１０ｃに係止される。
【００３４】
キャップ９を螺戻すと、キャップ９の下部が破断することによってキャップ９を摘み８から取り外すことができる。
他の構成は図１ないし図３に示す第１の実施形態と同様であり、対応する部材には同じ符号を付してその説明を省略する。
【００３５】
本発明の第３の実施形態が図５に示されている。
この第３の実施形態においては、摘み８の上端面にシールプレート１１を貼り付けることによって蛇腹７の先端開口７ｃが閉塞されている。
そして、これら摘み８及びシールプレート１１は薄肉のプラスチックフイルム１２によって被覆され、このフイルム１２の下端は管状部材１０の上端部外周面に溶着されているが、管状部材１０に限らず容器本体又はこれに固定されたものに溶着することもできる。
【００３６】
しかして、フィルム１２を除去した後、シールプレート１１の摘み部１１ａを持ってこれを摘み８から剥がすと、蛇腹７の先端開口７ｃを開口させることができる。
そして、摘み８及びシールプレート１１はフィルム１２によって被覆されているので、汚れることはない。
他の構成は図４に示す第２の実施形態と同様であり、対応する部材には同じ符号を付してその説明を省略する。
【００３７】
本発明の第４の実施形態が図６に示され、（Ａ）は要部断面図、（Ｂ）は（Ａ）のＢ−Ｂ線に沿う断面図である。
この第４の実施形態においては、硬質プラスチックからなる円管１３が側壁２と３との間に配置されてこれらに溶着されている。
【００３８】
この円管１３を貫通する通孔１３ａ内には蛇腹７が短縮された状態で格納され、この蛇腹７の通孔１３ａの上端から突出する部分７ｄが摘み部を構成している。
そして、この摘み部７ｄは側壁２と３を互いに溶着することによって形成された腔所２０の内部に位置せしめられている。
【００３９】
腔所２０を形成する側壁２と３の溶着部５に形成された切り込み１７から側壁２及び３を破断して腔所２０の上端部を除去すると、蛇腹７の先端開口７ｃが開口するとともに摘み部７ｄが露出するので、この摘み部７ｄを摘んで引き上げることにより蛇腹７が伸長する。
他の構成は図１ないし図３に示す第１の実施形態と同様であり、対応する部材には同じ符号を付してその説明を省略する。
【００４０】
本発明の第５の実施形態が図７に示されている。
この第５の実施形態においては、蛇腹７が通孔１３ｃから突出する部分が摘み部７ｄを構成し、この摘み部７ｄの上端面にシールプレート１８を貼り付けることによって蛇腹７の先端開口７ｃが閉塞されている。
【００４１】
摘み部７ｄを囲む腔所２０を形成する側壁２及び３にはこれらの溶着部５に形成された切り込み１７に連続するようにミシン目１９が刻設されている。
この切り込み１７から側壁２及び３をミシン目１９に沿って引き裂いて摘み部７ｄを露出させ、次いで、シールプレート１８の摘み部１８ａを持ってこれを剥がすと、蛇腹７の先端開口７ｃが開口する。
【００４２】
しかして、切り込み１７に連続するようにミシン目１９が刻設されているので、側壁２及び３を容易に引き裂くことができ、また、摘み部７ｄの上端面に貼り付けられたシールプレート１８によって蛇腹７の先端開口７ｃが閉塞されているため、容器本体１内の内容物がミシン目１９を通って外部に漏洩することはない。
他の構成は図６に示す第４の実施形態と同様であり、対応する部材には同じ符号を付してその説明を省略する。
【００４３】
本発明の第６の実施形態が図８に示され、（Ａ）は要部断面図、（Ｂ）は（Ａ）のＢ−Ｂ線に沿う断面図である。
この第６の実施形態においては、側壁２及び３に窪み１４，１５を形成し、これら窪み１４、１５が整合するように側壁２と３を互いに溶着することによって通孔１６が構成されている。
【００４４】
この通孔１６内に格納された蛇腹７の突出端に摘み８が固着され、この摘み８の外周面に刻設された雄螺糸８ｂにキャップ９の内周面に刻設された雌螺糸９ｂを螺合することによって蛇腹７の先端開口７ｃがキャップ９により閉塞されるようになっている。
他の構成は図１ないし図３に示す第１の実施形態と同様であり、対応する部材には同じ符号を付してその説明を省略する。
【００４５】
上記各実施形態において、容器本体１は薄肉のプラスチッチフィルムからなる２つの側壁２、３と１つの底壁４の端縁を互いに溶着５することによって構成されているが、内容物を収容することができれば容器本体の材質、形状、構造は任意に選択することができる。
【００４６】
また、通孔は容器本体の内部と外部を連通し、その内部に短縮された状態の蛇腹を格納できれば足り、その材質、形状及び構造は任意に選択することができる。
更に、蛇腹の先端開口を閉塞する閉塞部材及び蛇腹の先端に設けられる摘み部の形状、構造も任意に選択することができることは勿論である。。
【００４７】
【発明の効果】
本発明においては、蛇腹を伸長すればその先端が通孔から進出するとともにその進出部分を撓ませることができるので、蛇腹の先端開口を詰替容器等の入口に容易に挿入することができる。
そして、内容物の排出時、持ち上げられた容器が動揺しても蛇腹の進出部分が容易に撓むので蛇腹の先端開口が詰替容器等の入口から抜け出るのを防止できる。
【００４８】
また、内容物の排出の過程で容器本体内の内容物の多少に抱わらず蛇腹は始終潰れることがないので、内容物を円滑に排出できる。
そして、蛇腹の基端が通孔の基端に封密的に固定されているので、内容物の排出時、内容物が蛇腹と通孔との間隙を通り蛇腹の外周面を伝って滴下するのを防止できる。
従って、内容物を詰替容器等に容易に注入できるとともに内容物が詰替容器の外に散乱するのを防止できる。
【００４９】
容器の運搬時等には、蛇腹の先端開口が閉塞部材によって閉塞され、かつ、蛇腹の基端が通孔の基端に封密的に固定されているので、容器本体内の内容物が外部に漏洩することはない。
【００５０】
そして、蛇腹は短縮するので、通孔内に容易に格納することができ、従って、蛇腹が容器の外部に露出して汚損することはない。
また、蛇腹の基端が通孔の基端に固着されているので、通孔の全長を蛇腹の格納に利用することができ、通孔も短くて足りる。
この結果、蛇腹が容器の外部に露出せず、しかも、容器がコンパクトとなるので、その運搬、陳列が容易となるとともにその見映が向上する。
【００５１】
また、蛇腹の先端に摘み部を設ければ、蛇腹が短縮された状態で通孔の内部に格納されたときでも摘み部が通孔の外部に露出するので、この摘み部を容易に摘んで引き上げることによって蛇腹を容易に伸長させてその先端部を通孔の外に進出させることができる。
【図面の簡単な説明】
【図１】本発明の第１の実施形態を示す要部縦断面図である。
【図２】図１のＡ−Ａ線に沿う断面図である。
【図３】本発明の第１の実施形態における内容物の注入要領を示す斜視図である。
【図４】本発明の第２の実施形態を示す要部縦断面図である。
【図５】本発明の第３の実施形態を示す要部縦断面図である。
【図６】本発明の第４の実施形態を示し、（Ａ）は要部縦断面図、（Ｂ）は（Ａ）のＢ−Ｂ線に沿う断面図である。
【図７】本発明の第５の実施形態を示す要部断面図である。
【図８】本発明の第６の実施形態を示し、（Ａ）は要部縦断面図、（Ｂ）は（Ａ）のＢ−Ｂ線に沿う横断面図である。
【図９】従来の容器の１例を示す外観斜視図である。
【符号の説明】
１　容器本体
６ｃ　通孔
７　蛇腹
８　摘み部
【図１】
2004123151.tif 000003
【図２】
2004123151.tif 000004
【図３】
2004123151.tif 000005
【図４】
2004123151.tif 000006
【図５】
2004123151.tif 000007
【図６】
2004123151.tif 000008
【図７】
2004123151.tif 000009
【図８】
2004123151.tif 000010
【図９】
2004123151.tif 000011